(57)【要約】【課題】好感度の大きなにおいなど、高価値のにおいを任意の時刻に任意の場所で再現する携帯用の手段を提供し、またいくつもの基準ガスまたは基準試料をにおい識別装置の近傍に用意する必要があった従来の校正作業を改善する。【解決手段】捕集剤１１をベッド１２上に配設し、グラスウール１３および１４で挟持する。ベッド１２の一端に、常温では垂直方向に展開され加熱によって円弧状に変形する形状記憶合金製の扉１５を接合する。ベッド１２の下面は絶縁材料で絶縁し、加熱のためのヒータが印刷され端面に電力導入用のコネクタ１７を設けた基板１６の上面に載置する。基板１６を熱インシュレータ１８上に載置する。これらの要素類を内部カバー１９、さらに携帯用の外囲器２０内に収納する。においの流通のため、外囲器２０の前後は開口とし、ヒータの加熱によりあらかじめ吸着したにおいを発生させる。【選択図】          図１
2009156823.tif 000002
【特許請求の範囲】
【請求項１】
におい捕集剤と、前記捕集剤を加熱するヒータを内蔵した捕集室と、常温においては前記捕集室と外方を遮断しヒータの加熱に際しては前記捕集室を外方に開放する捕集室の扉を備え、前記ヒータの加熱によって、あらかじめ捕集剤に捕集されたにおいを放出させるようにしたことを特徴とするにおいメモリチップ。
【請求項２】
においメモリチップはパーソナルコンピュータと直結するための端子を備えたことを特徴とする請求項１記載のにおいメモリチップ。
【請求項３】
前記捕集室の扉は形状記憶合金により常温においては捕集室と外方を遮断しヒータの加熱に際しては捕集室を外方に開放することを特徴とする請求項１または請求項２記載のにおいメモリチップ。
【発明の詳細な説明】
【技術分野】
【０００１】
本発明は食品や香料などの特定のにおいを任意の場所で発生するための携帯用のにおい供給装置（以下、原則としてにおいメモリチップと記載する）に関する。
【０００２】
一般に、におい識別装置（以下「識別装置」と称す）を使用して食品・食材などの官能値を測定し他の測定値と比較する場合には、ボンベに封入された既知試料ガスや香料の混合物、または興味のあるにおい成分と同種の官能値を持つ既知試料を封入したバッグを基準ガスまたは基準試料バッグとして用意し、におい識別装置の校正を行う必要がある。校正時は識別装置の試料吸入口に、図５に示す基準試料２、可撓性を有するバッグ３および接続ポート４からなる基準試料バッグ部１を接続ポート４を介して接続し、測定時の手順に準じて基準試料バッグ部１から基準試料２を供給し、校正を行う。なお基準試料バッグ部１に替えて前記基準ガスを使用する場合は、既知試料ガスや香料の混合物を封入した基準ガスボンベ（図示せず）を吸入口に接続し、測定時の手順に準じて校正を行う。
【０００３】
【特許文献１】特開２００２−２２６９２号公報
【発明の開示】
【発明が解決しようとする課題】
【０００４】
標準的な食品や香料、さらに特定の食品のにおいや、好感度の大きなにおいなどの高価値のにおいを、識別装置に接続しまたは独立で、希望に応じて任意の場所で簡易に発生するために、携帯に適し簡便な手順でにおいを発生させることが可能なにおい供給装置の提供が要望されているが、従来この用途に適したにおい供給装置は提供されていなかった。すなわち、従来のにおい供給装置としては図５に示したバッグ３または前記基準ガスボンベ（以下試料容器やバッグと略記する）が使用されているが、寸法・重量の大きな試料容器やバッグは簡易ににおいを供給する携帯用の機器ではない。またバッグを使用して長期間試料を保管すると、漏れやバッグ素材からのにおい成分の発生などの問題が生じる。
【０００５】
校正の別方式として提案されているにおいのバーチャルリアリティ方式は、やはり香料を混合した基準試料を使用する必要があり、現状では品質に限界がある。この方式の動向としては、最初に特定の識別装置で標準となるにおいを分析し、そのデータを別の場所の識別装置に伝送し、伝送データを再現するように幾つかの香料を混合してにおいを再現合成した上で、合成ガスをその場所での基準ガスとして使用し測定をする方式が提案されているが、現在の技術の完成度では現実にはこの方法の実現はまだ困難である。
【０００６】
したがって、基準的な食品や香料、さらに特定の食品のにおいや、好感度の大きなにおいなどの高価値のにおいを、識別装置に接続しまたは独立で、希望に応じて任意の場所で簡易に発生するために、携帯に適し簡便な手順でにおいを発生させることが可能なにおい供給装置の提供が要望されている。本発明はこのような問題点を解決する手段を提供することを目的とする。
【課題を解決するための手段】
【０００７】
本発明が提供するにおいメモリチップは上記課題を解決するために、におい捕集剤と、前記捕集剤を加熱するヒータを内蔵した捕集室と、常温においては前記捕集室と外方を遮断しヒータの加熱に際しては前記捕集室を外方に開放する捕集室の扉を備え、前記ヒータの加熱によって、あらかじめ捕集剤に捕集されたにおいを放出させる。またにおいメモリチップはパーソナルコンピュータと直結するための端子を備える。また前記捕集室の扉は形状記憶合金により常温においては捕集室と外方を遮断しヒータの加熱に際しては捕集室を外方に開放する。
【発明の効果】
【０００８】
本発明によれば携帯に適したにおいメモリチップによって、好感度の大きなにおいなど、高価値のにおいを任意の時刻に任意の場所で発生することが可能になる。
【発明を実施するための最良の形態】
【０００９】
以下図示例にしたがって説明する。図１（Ａ）および（Ｂ）は本発明のにおいメモリチップの構成の一例を示している。図１（Ａ）は外観図、図１（Ｂ）は分解図である。においメモリチップ１０において、におい成分を吸着・保持する捕集剤１１は銅などの熱伝導の良好な材料で作製されたベッド１２上に配設され、前後をにおい成分を透過するグラスウール１３および１４で挟持されている。ベッド１２の一端には形状記憶合金製の扉１５が接合されている。扉１５は常温では垂直方向に展開され、加熱によって図１に示されているように円弧状に変形する。なお、図３の説明で後記するように、扉１５は捕集剤１１の両側に設けても良い。
【００１０】
ベッド１２はアルミナなどの絶縁性材料で作製された基板１６上に載置されている。基板１６の上面にはＮｉＣｒなどの抵抗材料で加熱のためのヒータが印刷されており、前記ヒータはコネクタ１７から導入される電力によって加熱される。コネクタ１７はたとえばＵＳＢインターフェースなどの形式である。配線との短絡を防止するため、ベッド１２の下面はアルミナなどの絶縁性材料を塗布するなどの方法で絶縁されている。
【００１１】
加熱に際して基板１６から外方への熱の散逸を低減するため、基板１６は２個の熱インシュレータ１８上に載置されている。これらの要素類は、ガラスまたは耐熱性プラスチックなどの材料で作製され側面内面が基板１６の側面外面に滑合した内部カバー１９内に収納される。内部カバー１９はさらに、プラスチック等で成形された外囲器２０内に収納されている。外囲器２０の一端は外方機器から電力を導入するため、コネクタ１７の端部が露出している。においの流通のため、外囲器２０の前後は開口になっている。
【００１２】
図２はにおいメモリチップ１０の利用の一例である。４個のにおいメモリチップ１０が、たとえば前記のＵＳＢ形式のＰＣコネクタ３１によってパーソナルコンピュータ、ＰＣ３０に接続されている。ＰＣ３０からの制御によって、任意の１個のにおいメモリチップ１０が加熱され、におい成分がにおいメモリチップ１０の周囲に昇華する。たとえばＰＣ３０に特定の食品または料理の画像を出すと共に対応したにおいメモリチップ１０を加熱することにより、画像に対応した特定の食品または料理のにおいをＰＣ３０周辺に昇華させ、においを伴った画像から付加価値の拡大された知見を得ることができる。
【００１３】
図３は、においメモリチップ１０ａににおい成分を採取するために使用する吸入圧送部４０の構造および、基準試料バッグ部１、においメモリチップ１０ａおよび吸入圧送部４０の相互接続の一例を模式的に示している。吸入圧送部４０は接続ポート４１、扉開放バー４２、ポンプ４３および接続ポート４４で構成され、ポンプ４３は通電により、吸入圧送部４０内部の気体を左から右に送出する。
【００１４】
においメモリチップ１０ａおよび外囲器２０ａは図１に示したにおいメモリチップ１０および外囲器２０と基本構造は同一であるが、前段装置、後段装置との接続に便ならしめるため、外囲器２０ａの開口部には接続ポート２１および２２を設け、またコネクタ１７の方向を変更している。また形状記憶合金の扉１５ａを増設し、図１の扉１５に対応する扉１５ｂと協動して捕集剤１１の両側を閉じきり可能にしている。図５において説明したごとく、標準試料バッグ部１は食品などの基準試料２を封入したバッグ３と摺り合わせ形式（メス）の接続ポート４から構成されており、接続ポート４の接続ポート２１への挿入によってにおいメモリチップ１０ａと結合される。
【００１５】
またにおいメモリチップ１０ａは、接続ポート２２の接続ポート４１への挿入によって吸入圧送部４０と結合される。このとき、吸入圧送部４０の接続ポート４１に固定されている扉開放バー４２がにおいメモリチップ１０ａに挿入され、扉１５ａ、１５ｂが機械的に開放される。この状態でポンプ４３を作動させると基準試料２のにおい成分は常温の捕集剤１１を通過し、におい成分が捕集剤１１に吸着・蓄積される。
【００１６】
図４は本発明のにおいメモリチップ１０ａおよび吸入圧送部４０を識別装置に接続し、校正または試料測定を行う場合の相互接続を示している。吸入圧送部４０の接続ポート２４はにおいメモリチップ１０ａの接続ポート２１に接続される。またにおいメモリチップ１０ａの接続ポート２２は識別装置の吸入口Ｓに接続される。
【００１７】
ＰＣ３０からの指令により、コネクタ１７を介設して基板１６上面のヒータ、したがって捕集剤１１が加熱され、あらかじめ吸着されていたにおい成分が放出される。さらにポンプ４３を作動させ、放出されたにおい成分を識別装置に導入する。におい成分が特定の食品等の成分であれば、においメモリチップ１０ａは携帯用の試料として作動する。またにおい成分が標準試料であれば、においメモリチップ１０ａは携帯用の標準試料として作動する。
【００１８】
本発明は上記の実施例に限定されるものではなく、さらに種々の変形実施例を挙げることができる。たとえば図３ではコネクタ１７の配置の一例として図１とはコネクタ１７の方向を変更しているが、前段装置との接続のためには必ずしもコネクタ１７の方向を変更する必要はなく、たとえばコネクタ１７より大きな開口の接続ポート２１を使用してコネクタ１７を図１と同じ方向に設け、吸入圧送部４０にコネクタ１７の受け口を設け、吸入圧送部４０を介設してＰＣ３０と接続することもできる。また図３、図４では各接続ポートは摺り合わせ形式で示されているが、フランジ形式、ねじ込み形式など、他の形式の接続ポートとしてもよい。また捕集剤には物理的吸着を行い本発明の機能を行う捕集剤も含まれるものである。
【００１９】
また必要に応じて、標準試料バッグ部１とにおいメモリチップ１０ａ、またにおいメモリチップ１０ａと識別装置などを可撓性のチューブ、たとえばテフロン（Ｒ）チューブを介して接続しても良い。また扉開放バー４２の構造および保持方法は図３、４に示したものには限定されない。たとえば扉開閉バー４２を図３の接続ポート４１に対して固定するのではなく、ポンプ４３に固定しても良い。
【００２０】
扉開閉バー４２の断面形状も円、楕円、長方形など各種の形状が考えられる。また図４における扉１５ａの加熱変形時の湾曲方向を逆方向にすると共に、扉開閉バー４２の機能を２分割し、標準試料バッグ部１の接続ポート４の部分に扉１５ａを開くためのバーを追加し、吸入圧送部４０の扉開閉バー４２は長さを短縮して扉１５ｂの開放専用としても良い。図４において、においメモリチップ１０ａと吸入圧送部４０の結合時に同時にポンプ４３の作動用制御信号線（図示せず）をにおいメモリチップ１０ａに結合させ、さらににおいメモリチップ１０ａを介設してコネクタ１７に接続させ、ポンプ４３の作動をＰＣ３０で制御することも可能である。なお図４において図１、図３と同一の符号で示される部品は図１、図３と同一の部品であり、詳細な説明は省略する。
【図面の簡単な説明】
【００２１】
【図１】本発明のにおいメモリチップの基本構造を示す斜視図である。
【図２】本発明のにおいメモリチップの使用の一例を示す図である。
【図３】本発明のにおいメモリチップににおい成分を採取する際の外方機器との相互接続の一例を示す図である。
【図４】本発明のにおいメモリチップをにおい識別装置に接続する際の外方機器との相互接続の一例を示す図である。
【図５】基準試料バッグ部の構成を示す図である。
【符号の説明】
【００２２】
１  基準試料バッグ部
２  基準試料
３  バッグ
４  接続ポート
１０  においメモリチップ
１０ａ  においメモリチップ
１１  捕集剤
１２  ベッド
１３  グラスウール
１４  グラスウール
１５  扉
１５ａ  扉
１５ｂ  扉
１６  基板
１７  コネクタ
１８  熱インシュレータ
１９  内部カバー
２０  外囲器
２０ａ  外囲器
２１  接続ポート
２２  接続ポート
３０  ＰＣ
３１  ＰＣコネクタ
４０  吸入圧送部
４１  接続ポート
４２  扉開放バー
４３  ポンプ
４４  接続ポート
Ｓ  吸入口
【図１】
2009156823.tif 000003
【図２】
2009156823.tif 000004
【図３】
2009156823.tif 000005
【図４】
2009156823.tif 000006
【図５】
2009156823.tif 000007